(57)【要約】      （修正有）【課題】ジグザグ形状のリブによりシーツが動かないように確実に押圧保持するペット用トイレの提供。【解決手段】シーツを載置する底トレーと、上記底トレーに載置されたシーツを上方から覆う引っ掻き防止用のメッシュ部３０を有するカバー部材４０と、を備えたペット用トイレであって、上記メッシュ部３０の下部には、上記シーツを押圧保持するジグザグ形状のリブ３１が形成され、上記メッシュ部３０には、上記ジグザグ形状のリブ３１に沿った多角形状の多数の網目３２が開口形成されたことを特徴とする。【選択図】図１１
2020058290.tif 000002
【特許請求の範囲】
【請求項１】
シーツを載置する底トレーと、
上記底トレーに載置されたシーツを上方から覆う引っ掻き防止用のメッシュ部を有するカバー部材と、を備えたペット用トイレであって、
上記メッシュ部の下部には、上記シーツを押圧保持するジグザグ形状のリブが形成され、
上記メッシュ部には、上記ジグザグ形状のリブに沿った多角形状の多数の網目が開口形成された
ペット用トイレ。
【請求項２】
上記網目は六角形状に形成された
請求項１に記載のペット用トイレ。
【請求項３】
上記底トレーは、外周縁部に位置する周壁と、該周壁の内端間全域に位置する便床部とを有し、
上記便床部はその全域にわたって平坦状に形成された
請求項１または２に記載のペット用トイレ。
【請求項４】
上記底トレーの外周縁部の少なくとも一辺の外部には、ピン支持部を介してヒンジピンが一体形成され、
該底トレーの外周縁部他辺の外部には、係止部が一体形成されると共に、
上記カバー部材の外周縁部一辺には、上記ヒンジピンに回動可能に装着される装着部が設けられ、
上記カバー部材の外周縁部他辺には、上記係止部に着脱可能に係止されるフック部が設けられた
請求項１〜３の何れか一項に記載のペット用トイレ。
【請求項５】
上記メッシュ部は合成樹脂の射出成形にて構成されると共に、
上記ジグザグ状のリブに沿う網目は網目構成部を有しており、
該網目構成部の下端部に上記リブが設けられ、
上記網目構成部の下端部と上記リブの上端部との間に射出成形時のパーティングラインが形成された
請求項１〜４の何れか一項に記載のペット用トイレ。
【発明の詳細な説明】
【技術分野】
【０００１】
この発明は、シーツを載置する底トレーと、上記底トレーに載置されたシーツを上方から覆う引っ掻き防止用のメッシュ部を有するカバー部材と、を備えたペット用トイレに関する。
【背景技術】
【０００２】
一般に上述例のペット用トイレは、シーツを載置する底トレーと、該底トレーに載置されたシーツを上方から覆うと共に、ペットの爪でシーツが引っ掻かれることを防止するためのメッシュ部を有するカバー部材と、から構成されている。
【０００３】
上述のシーツは、ペットの挙動により位置ずれしないよう底トレーとカバー部材との間に保持する必要がある。  
そこで、本発明者等は、図１９に示すペット用トイレを既に発明した（特許文献１参照）。  
すなわち、図１９に示すように、平面視方形状の底トレー９１の周壁９２と便床部９３との間に、底トレー９１の周壁形状（方形枠状）に対応した環状凹形状の固定溝９４を形成し、該固定溝９４に複数の突起９５（但し、図１９では１つの突起９５のみを示す）を形成している。
【０００４】
また、メッシュ部９６を有する平面視方形状のカバー部材９７の外枠部９７ａ下面において、上記固定溝９４の突起９５と上下方向に対向する位置には、環状内壁部９７ｂと、環状外壁部９７ｃと、これら両壁部９７ｂ，９７ｃ間に形成されて上方に凹む環状凹部９７ｄと、を形成している。
【０００５】
そして、図１９に示すように、便床部９３に敷設したシーツ１００の外周縁を、環状内壁部９７ｂと突起９５内面との間を通して突起９５上端に導びき、突起上端から突起９５外面と環状外壁部９７ｃとの間を介して環状凹部９７ｄの外方へ導出することで、シーツ１００に抵抗を付与して、当該シーツ１００を位置ずれしないように固定していた。
【０００６】
しかしながら、上記特許文献１で開示されたペット用トイレにおいては、シーツ１００がその外周縁部のみで固定されており、便床部９３でのシーツ１００の固定が不充分なうえ、シーツ固定構造が複雑であって、改善の余地があった。
【先行技術文献】
【特許文献】
【０００７】
【特許文献１】特開２０１１−９２０１５号公報
【発明の概要】
【発明が解決しようとする課題】
【０００８】
そこで、この発明は、ジグザグ形状のリブによりシーツが動かないように確実に押圧保持することができるペット用トイレの提供を目的とする。
【課題を解決するための手段】
【０００９】
この発明によるペット用トイレは、シーツを載置する底トレーと、上記底トレーに載置されたシーツを上方から覆う引っ掻き防止用のメッシュ部を有するカバー部材と、を備えたペット用トイレであって、上記メッシュ部の下部には、上記シーツを押圧保持するジグザグ形状のリブが形成され、上記メッシュ部には、上記ジグザグ形状のリブに沿った多角形状の多数の網目が開口形成されたものである。
【００１０】
上記構成によれば、メッシュ部の下部に形成されたジグザグ形状のリブにより、シーツが動かないように確実に押圧保持することができる。  
また、上記ジグザグ形状のリブに沿った網目を開口形成したので、ペット用トイレの洗浄性が向上し、網目の角部の汚物を容易に洗い流すことができ、洗浄時の水の跳ね返りも抑制することができる。
【００１１】
因に、特許文献１で開示されたメッシュ部は格子状網目に形成されており、ペット用トイレの洗浄時に、上記格子状網目に強い水圧の水をかけて汚物を洗い流す場合、上記格子状網目の直角の角部の汚物を容易に洗い流すことが困難なうえ、網目が格子状であるため、洗浄時に水が跳ね返る問題点があったが、上記構成により斯る問題点を解消することができる。
【００１２】
この発明の一実施態様においては、上記網目は六角形状に形成されたものである。  
上記構成によれば、網目を六角形状に形成したので、その内角が１２０度となり、格子状の網目の内角（９０度）に対して大きくなるため、角部の汚物をより容易に洗い流すことができると共に、洗浄時の水の跳ね返りをより一層抑制することができる。
【００１３】
この発明の一実施態様においては、上記底トレーは、外周縁部に位置する周壁と、該周壁の内端間全域に位置する便床部とを有し、上記便床部はその全域にわたって平坦状に形成されたものである。  
上記構成によれば、上述の便床部がその全域にわたって平坦状に形成されており、特許文献１で開示された固定溝や突起が一切存在しないので、洗浄作業性の向上を図ることができる。
【００１４】
この発明の一実施態様においては、上記底トレーの外周縁部の少なくとも一辺の外部には、ピン支持部を介してヒンジピンが一体形成され、該底トレーの外周縁部他辺の外部には、係止部が一体形成されると共に、上記カバー部材の外周縁部一辺には、上記ヒンジピンに回動可能に装着される装着部が設けられ、上記カバー部材の外周縁部他辺には、上記係止部に着脱可能に係止されるフック部が設けられたものである。
【００１５】
上記構成によれば、ヒンジピンと装着部とでペット用トイレの一辺にヒンジ機構が形成されるので、上記フック部を上記係止部から外すと、カバー部材を片手操作にて開閉することができる。
【００１６】
この発明の一実施態様においては、上記メッシュ部は合成樹脂の射出成形にて構成されると共に、上記ジグザグ状のリブに沿う網目は網目構成部を有しており、該網目構成部の下端部に上記リブが設けられ、上記網目構成部の下端部と上記リブの上端部との間に射出成形時のパーティングラインが形成されたものである。
【００１７】
上記構成によれば、網目構成部の下端部と、リブの上端部との間にパーティングラインを形成したので、メッシュ部の射出成形時にバリが形成されるのを抑制することができ、洗浄性の向上を図ることができる。因に、射出成形時にバリが形成されると、当該バリにより水洗いによる汚物の除去が煩雑となり、洗浄性が悪化するが、上記構成により、このような問題点を解消することができる。
【００１８】
この発明の一実施態様においては、上記リブの下端部に、押圧保持する上記シーツに対する滑り止めが設けられたものである。  
上記構成によれば、メッシュ部の下部に形成されたジグザグ形状のリブによって押圧保持されるシーツが、上記リブの下端部に設けられた滑り止めによって、さらに確実に動かないようにすることができる。
【００１９】
なお、上記リブの下端部に設けられた滑り止めは、例えば、上記リブの下端部の形状をノコギリ歯のような凹凸形状とし、凸部における上記シートに対する凹圧力を集中させてシートが滑らないように構成したり、リブの下端部を下方長く形成するとともに変形可能に構成し、リブでシートを押圧保持する際に、凹圧力でリブ下端部が変形することでシートが滑らないように構成してもよい。さらには、リブの下端部の表面を粗面処理したり、摩擦係数の高い素材でコーティングするなどの表面処理によって構成してもよいし、ゴムなどの摩擦係数の高い別部材をリブの下端部に装着してもよい。
【発明の効果】
【００２０】
この発明によれば、メッシュ部の下部に形成されたジグザグ形状のリブにより、シーツが動かないように確実に押圧保持することができる効果がある。
【図面の簡単な説明】
【００２１】
【図１】本発明のペット用トイレを示す斜視図
【図２】ペット用トイレをフック部側から見た状態で示す分解斜視図
【図３】ペット用トイレをヒンジ側から見た状態で示す分解斜視図
【図４】ペット用トイレの平面図
【図５】ペット用トイレの底面図
【図６】ペット用トイレの正面図
【図７】ペット用トイレの背面図
【図８】ペット用トイレの左側面図
【図９】ペット用トイレの右側面図
【図１０】カバー部材を単体で示す平面図
【図１１】カバー部材を単体で示す底面図
【図１２】図４のＡ−Ａ線矢視断面図
【図１３】（ａ）は図１２のヒンジ側の拡大断面図、（ｂ）は図１２のフック部側の拡大断面図
【図１４】（ａ）は図４のＢ−Ｂ線矢視断面図、（ｂ）は図４のＣ−Ｃ線矢視断面図
【図１５】（ａ）はリブと網目の構造を示す図１１の部分拡大図、（ｂ）は図１５の（ａ）のＤ−Ｄ線で断面した網目構成部、リブおよびパーティングラインの構成を示す実施例の断面図、（ｃ）は比較例のパーティングラインの位置を示す断面図
【図１６】リブと網目の構造の他の実施例を示す底面図
【図１７】リブと網目の構造のさらに他の実施例を示す底面図
【図１８】リブのさらに他の実施例を示す説明図
【図１９】従来のペット用トイレを示す周縁部の拡大断面図
【発明を実施するための形態】
【００２２】
ジグザグ形状のリブにより、シーツが動かないように確実に押圧保持するという目的を、シーツを載置する底トレーと、上記底トレーに載置されたシーツを上方から覆う引っ掻き防止用のメッシュ部を有するカバー部材と、を備えたペット用トイレであって、上記メッシュ部の下部には、上記シーツを押圧保持するジグザグ形状のリブが、当該メッシュ部の全長にわたって形成され、上記メッシュ部には、上記ジグザグ形状のリブに沿った多角形状の多数の網目が開口形成されるという構成にて実現した。
【００２３】
（実施例）  
この発明の一実施例を以下図面に基づいて詳述する。  
図面はペット用トイレを示し、図１は当該ペット用トイレの斜視図、図２はペット用トイレをフック部側（正面側）から見た状態で示す分解斜視図、図３はペット用トイレをヒンジ側（背面側）から見た状態で示す分解斜視図、図４はペット用トイレの平面図、図５はその底面図、図６は正面図、図７は背面図、図８は左側面図、図９は右側面図である。
【００２４】
図２、図３に示すように、この実施例のペット用トイレ１０は、シーツ５０（図１３参照）を載置する底トレー２０と、当該底トレー２０に載置されたシーツ５０を上方から覆う引っ掻き防止用のメッシュ部３０を有するカバー部材４０と、を組合わせて図１に示すように構成される。
【００２５】
図２、図３に示すように、上述の底トレー２０はポリプロピレン等の熱可塑性合成樹脂の射出成形にて平面視で略方形状に形成されており、同様に、メッシュ部３０を有するカバー部材４０も、ポリプロピレン等の熱可塑性合成樹脂の射出成形により、底トレー２０と対応すべく平面視で略方形状に形成されている。
【００２６】
図１０はカバー部材４０を単体で示す平面図、図１１はその底面図、図１２は図４のＡ−Ａ線矢視断面図、図１３の（ａ）は図１２のヒンジ側の拡大断面図、図１３の（ｂ）は図１２のフック部側の拡大断面図、図１４の（ａ）は図４のＢ−Ｂ線矢視断面図、図１４の（ｂ）は図４のＣ−Ｃ線矢視断面図である。
【００２７】
図２、図３、図１２〜図１４に示すように、底トレー２０は、外周縁部に位置する周壁２１と、該周壁２１の内端間全域に位置する便床部２２とを有し、この便床部２２の上面はその全域にわたって平坦状に形成されている。
【００２８】
図１３に拡大断面図で示すように、上述の周壁２１は、上壁２１ａと、この上壁２１ａの内端から下方に延びる内壁２１ｂと、上記上壁２１ａの外端から下方に延びる外壁２１ｃと、外壁２１ｃの下端から外方に延びるフランジ部２１ｄと、を備え、これらの各壁２１ａ〜２１ｃおよびフランジ部２１ｄを一体形成したもので、上述の便床部２２は、周壁２１の内壁２１ｂ下端間の全域に位置するよう平坦状（好ましくは、フルフラット形状）に形成されたものである。  
この便床部２２に対して上述のフランジ部２１ｄが低位置に位置するよう形成されている。
【００２９】
図１〜図９に示すように、上述の底トレー２０の周壁２１は正面辺部２１Ｆと、背面辺部２１Ｂと、左辺部２１Ｌと、右辺部２１Ｒとを有しており、各辺部の隣接部分は曲率形状のコーナ部２１Ｃで連結されている。
【００３０】
図２、図１２、図１３の（ｂ）に示すように、上述の正面辺部２１Ｆの長手方向中央部には、切欠き部２３が形成されており、この切欠き部２３により当該正面辺部２１Ｆの外壁２１ｃには、後述するフック部４３（図１３の（ｂ）参照）を着脱可能に係合する係止部２４が設けられている。
【００３１】
図３、図１３の（ａ）に示すように、上述の背面辺部２１Ｂの長手方向中央部には、外壁２１ｃおよびフランジ部２１ｄから外方へ突出する一対のピン支持部２５，２５を離間形成しており、左右方向に離間する一対のピン支持部２５，２５間には、ヒンジピン２６を水平に張架し、ピン支持部２５，２５とヒンジピン２６とを一体形成している。
【００３２】
一方、図５に底面図で示すように、底トレー２０の便床部２２下面には、その下面中央から下方に延びる円筒形状のセンタリブ２２ａと、下面四隅部から下方に延びる円筒形状の滑り止め部材格納部２２ｂと、が一体形成されている。  
また、同図に示すように、上述のセンタリブ２２ａと滑り止め部材格納部２２ｂとの間を放射状に連結する底面リブ２２ｃを設け、該底面リブ２２ｃを上記便床部２２下面に一体形成している。
【００３３】
さらに、図５に示すように、上述の便床部２２における滑り止め部材格納部２２ｂよりも外側には底面視でＬ字状のコーナリブ２２ｄを一体形成している。そして、上述の各滑り止め部材格納部２２ｂ内には、エラストマ製またはゴム製の滑り止め部材２７を格納している。
【００３４】
ここで、図１２〜図１４に示すように、底トレー２０のフランジ部２１ｄ下面と、上記センタリブ２２ａの下端面と、上記滑り止め部材格納部２２ｂの下端面と、は面一になるよう形成されており、滑り止め部材格納部２２ｂに格納固定された滑り止め部材２７の底面は、滑り止め部材格納部２２ｂの下端面よりも下方に突出しており、ペット用トイレ１０を設置面に設置した場合、その滑り止め効果を確保するよう構成している。
【００３５】
図２、図３、図１２〜図１４に示すように、メッシュ部３０を有するカバー部材４０は、当該メッシュ部３０と、その外側に位置する外枠４１とを備えている。  
この実施例では、外枠４１とメッシュ部３０とが合成樹脂により一体形成されている。  
上述の外枠４１はメッシュ部３０の外周縁部に位置するもので、図１〜図１１に示すように、該外枠４１は正面辺部４１Ｆと、背面辺部４１Ｂと、左辺部４１Ｌと、右辺部４１Ｒとを有しており、各辺部の隣接部分は曲率形状のコーナ部４１Ｃで連結されている。
【００３６】
図１３に拡大断面図で示すように、上述の外枠４１は、上壁４１ａと、この上壁４１ａの内端から下方に延びる内壁４１ｂと、上記上壁４１ａの外端から下方に延びる外壁４１ｃと、を備え、これらの各壁４１ａ〜４１ｃを一体形成したものである。
【００３７】
図３、図４、図７、図１０、図１１、図１３の（ａ）に示すように、カバー部材４０の外枠４１における外壁４１ｃの長手方向中央には、底トレー２０側のピン支持部２５およびヒンジピン２６に対応して、当該ヒンジピン２６に回動可能に装着される装着部４２が設けられている。
【００３８】
図１３の（ａ）に示すように、上述の装着部４２は、上記外壁４１ｃから外方に延びる上片部４２ａと、この上片部４２ａの外端から下方に延びる垂下片４２ｂと、この垂下片４２ｂの上下方向中間から内方に延びてヒンジピン２６の下部に当接される当接片４２ｃと、上片部４２ａの内外方向中間から下方に延びる外れ防止片４２ｄと、を一体形成したものである。
【００３９】
上記装着部４２のヒンジピン２６に対する装着時、上片部４２ａはヒンジピン２６の上部に当接し、上記垂下片４２ｂはヒンジピン２６の外部に当接または近接し、上記当接片４２ｃはヒンジピン２６の下部に当接し、上記外れ防止片４２ｄはヒンジピン２６とは当接しないが、該外れ防止片４２ｄの下端はヒンジピン２６の下端位置と上下方向で同等の位置となるよう形成されている。
【００４０】
また、外れ防止片４２ｄの外面と当接片４２ｃの内端面との間には、ヒンジピン２６の直径よりも大きい着脱用の空間部４２ｅが形成されている。  
さらに、図３に示すように、上述の装着部４２の長手方向両側部には、ピン支持部２５との干渉を回避する切欠き部４１ｄとが形成されている。
【００４１】
図１３の（ｂ）に示すように、カバー部材４０における外枠４１の外壁４１ｃ下部には、底トレー２０側の係止部２４に対応して、該係止部２４に着脱可能に係止されるフック部４３が設けられている。  
このフック部４３は外枠４１の外壁４１ｃ下部から内方に延びるもので、上記外壁４１ｃ下部には、フック部４３と内外方向に連続するように当該外壁４１ｃ下部から外方に延びる取手部４４が一体形成されている。
【００４２】
カバー部材４０を底トレー２０に取付ける際には、外枠４１の空間部４２ｅを介して底トレー２０側のヒンジピン２６が装着部４２内に位置するように、当該装着部４２をヒンジピン２６に装着すると共に、外枠４１下部のフック部４３を底トレー２０側の係止部２４に係止させると、底トレー２０に対するカバー部材４０の取付けが完了する（図３の（ａ）、図３の（ｂ）参照）。
【００４３】
カバー部材４０を開放する場合には、図１２に仮想線で示すように、底トレー２０側の係止部２４からフック部４３を外した後に、ヒンジピン２６を支点として当該カバー部材４０の遊端側（正面辺部４１Ｆ側）を上方に開放することができるものである。  
すなわち、上記カバー部材４０は、底トレー２０に対して着脱可能かつ開閉可能に構成されている。  
また、図１１、図１３に示すように、カバー部材４０の外枠４１における内壁４１ｂ下部と、メッシュ部３０との境界部には、下方に延びる方形枠状の外リブ４５が一体形成されている。
【００４４】
図１５の（ａ）はリブと網目の構造を示す図１１の部分拡大図、図１５の（ｂ）は図１５の（ａ）のＤ−Ｄ線で断面した網目構成部、リブおよびパーティングラインの構成を示す実施例の断面図、図１５の（ｃ）は比較例のパーティングラインの位置を示す断面図である。
【００４５】
なお、図１５の（ａ）において、矢印Ｆはペット用トイレの正面側を示し、矢印Ｂはペット用トイレの背面側を示し、矢印Ｌはペット用トイレの左側面側を示し、矢印Ｒはペット用トイレの右側面側を示す。
【００４６】
図１１、図１５の（ａ）に示すように、メッシュ部３０の下部には、シーツ５０（図１３参照）を押圧保持する複数条かつジグザグ形状のリブ３１…が互いに平行に形成されている。この実施例では、図１１に示すように合計４条のリブ３１がメッシュ部３０の長手方向全長にわたって形成されている。すなわち、外枠４１の左辺部４１Ｌに対応するメッシュ部３０の左側端部から外枠４１の右辺部４１Ｒに対応するメッシュ部３０の右側端部にかけて上記ジグザグ形状のリブ３１が形成されたものである。
【００４７】
図１５の（ａ）に示すように、上述のリブ３１は、左方から右方にかけて右前（図面上の右上）に延びる第１リブ片３１ａと、左方から右方にかけて右後（図面上の右下）に延びる第２リブ片３１ｂと、これらの各リブ片３１ａ，３１ｂの端部間を連結するアール部３１ｃとを有し、第１リブ片３１ａと第２リブ片３１ｂとの開角が１２０度に設定されている。また、上記角リブ片３１ａ，３１ｂの長さは等しくなるように設定されている。
【００４８】
そして、同図に示すように、上述のメッシュ部３０には、上記ジグザグ形状のリブ３１に沿った多角形状の多数の網目３２…が開口形成されている。この実施例では、該網目３２は正六角形状に形成されており、多数の網目３２…がハニカム状に配列されている。また、上記リブ３１はカバー部材４０を射出成形する際において溶融樹脂材料の流れ（いわゆる湯流れ）をよくする作用をも兼ねるものである。
【００４９】
上述の網目３２は、図１５の（ａ）、図１５の（ｂ）に示すように、六角枠状をハニカム構造に連結した網目構成部３３により形成されており、この網目構成部３３の下端部に上記ジグザグ形状のリブ３１が一体形成されている。また、上記網目３２の各コーナ部には網目構成部３３によりコーナアール部３３ａがそれぞれ形成されている。
【００５０】
このように、メッシュ部３０に、ジグザグ形状のリブ３１に沿った正六角形状の多数の網目３２を形成したものである。これにより、ジグザグ形状のリブ３１は、一直線状のリブに対してその総全長が長くなり、総全長が長くなったリブ３１で、図１３に示すように、シーツ５０の上面が下方に凹むよう当該シーツ５０を押圧保持して、シーツ５０の動きを確実に抑制すべく構成したものである。
【００５１】
ここで、図１３の（ａ）、図１３の（ｂ）に示すように、シーツ５０の前後左右方向の中間部は、上記複数条のジグザグ形状のリブ３１により下方に凹むように押圧保持されると共に、シーツ５０の周縁部は、方形枠状の外リブ４５により下方に凹むように押圧保持される。つまり、上記シーツ５０はジグザグ形状のリブ３１と、外リブ４５とにより、シーツ中間部とシーツ周縁部とが下方に凹んで、ペットの挙動により位置ずれしないよう押圧保持すべく構成している。なお、上記各リブ３１，４５下端の上下方向の高さ位置は、同等になるよう形成されている。
【００５２】
また、上記リブ３１はメッシュ部３０の長手方向に沿って複数条形状しており、これにより、単に一条のリブ３１のみを形成する場合と比較して、リブ３１によるシーツ５０の押圧保持効果の向上を図るよう構成している。
【００５３】
さらに、上記ジグザグ形状のリブ３１に沿った網目３２を六角形状に形成することで、ペット用トイレ１０の洗浄性向上を図り、網目３２の角部の汚物を容易に洗い流すと共に、洗浄時の水の跳ね返りも抑制するよう構成したものである。
【００５４】
詳しくは、網目３２を六角形状と成すことで、その内角が１２０度となり、格子状の網目の内角９０度に対して大きくなり、これにより、角部の水洗い洗浄時の水の跳ね返りをより一層抑制するように構成している。
【００５５】
加えて、上述の網目３２の各コーナ部には網目構成部３３によりコーナアール部３３ａ（図１５の（ａ）参照）を形成し、網目３２の角部を丸めることで、角部の水洗い洗浄時の水の跳ね返りをさらに抑制するよう構成したものである。  
さらにまた、図１２、図１４で示したように、上記便床部２２の上面をその全域にわたって平坦状に形成し、特許文献１で開示された固定溝や突起を廃止することで、洗浄作業性の向上を図るよう構成している。
【００５６】
一方、図１３に示すように、ヒンジピン２６と装着部４２とでペット用トイレ１０の一辺としての背面辺部にヒンジ機構を形成し、フック部４３と係止部２４とをペット用トイレ１０の他辺としての正面辺部に形成することで、カバー部材４０の開閉操作の容易化を図るよう構成したものである。
【００５７】
ところで、図１５の（ｂ）に示すように、網目構成部３３の下端部にジグザグ状のリブ３１を備えたメッシュ部３０を、合成樹脂の射出成形にて構成する際、上記網目構成部３３の下端部とリブ３１の上端部との間に射出成形時のパーティングラインＰＬ１（例えば、固定型と可動型とからなる金型の分割面）が形成されている。  
これにより、メッシュ部３０の射出成形時にバリが形成されることを抑制し、洗浄性の向上を図るよう構成している。
【００５８】
因に、図１５の（ｃ）に示すように、網目構成部３３の上下方向中間部にパーティングラインＰＬ２を設けると、メッシュ部３０の射出成形時にバリが形成され、このバリにより水洗いによる汚物の除去が煩雑となって、洗浄性が悪化するが、図１５の（ｂ）で示した構成にて、このような問題点を解消するよう構成したものである。
【００５９】
図１６はリブと網目の構造の他の実施例を示す底面図である。  
図１６に示すリブ３１は、左方から右方にかけて右前（図面上の右上）に延びる第１リブ片３１ａと、左方から右方にかけて右後（図面上の右下）に延びる第２リブ片３１ｂと、これらの各リブ片３１ａ，３１ｂを直線状に連結する第３リブ片３１ｄと、各リブ片３１ａ，３１ｂ，３１ｄの端部間を連結するアール部３１ｃとを有し、各リブ片３１ａ，３１ｄ間、３１ｄ，３１ｂ間、３１ｂ，３１ｄ間、３１ｄ，３１ａ間の開角がそれぞれ１２０度に設定されている。また上記各リブ片３１ａ，３１ｂの長さは等しく、リブ片３１ｄの長さはリブ片３１ａ，３１ｂに対して長くなるよう設定されている。
【００６０】
そして、図１６に示すように、上述のメッシュ部３０には、略ジグザグ形状のリブ３１に沿った横長六角形状の多数の網目３２…が開口形成されている。  
図１６で示したこの実施例においても、その他の構成、作用、効果については、図１〜図１５で示した先の実施例と略同様であるから、図１６において、前図と同一の部分には、同一符号を付して、その詳しい説明を省略する。
【００６１】
図１７はリブと網目の構造のさらに他の実施例を示す底面図である。  
図１７に示すリブ３１は、左方から右方にかけて右前（図面上の右上）に延びる第１リブ片３１ａと、左方から右方にかけて右後（図面上の右下）に延びる第２リブ片３１ｂと、第１リブ片３１ａの右端と第２リブ片３１ｂの左端とを直線状に連結する第３リブ片３１ｄと、各リブ片３１ａ，３１ｂ，３１ｄの端部間を連結するアール部３１ｃとを有し、各リブ片３１ａ，３１ｄ間、３１ｄ，３１ｂ間の開角を１３５度に設定すると共に、各リブ片３１ｂ，３１ａ間の開角を９０度に設定している。また、上記各リブ片３１ａ，３１ｂ，３１ｄの長さはそれぞれ等しくなるよう形成されている。
【００６２】
そして、図１７に示すように、上述のメッシュ部３０には、略ジグザグ形状のリブ３１に沿った八角形状の多数の網目３２Ａ…と、四角形状の多数の網目３２Ｂ…とが開口形成されている。  
図１７で示したこの実施例においても、その他の構成、作用、効果については、図１〜図１５で示した先の実施例と略同様であるから、図１７において、前図と同一の部分には、同一符号を付して、その詳しい説明を省略する。
【００６３】
このように、上記実施例のペット用トイレ１０は、シーツ５０を載置する底トレー２０と、上記底トレー２０に載置されたシーツ５０を上方から覆う引っ掻き防止用のメッシュ部３０を有するカバー部材４０と、を備えたペット用トイレであって、上記メッシュ部３０の下部には、上記シーツ５０を押圧保持するジグザグ形状のリブ３１が形成され、上記メッシュ部３０には、上記ジグザグ形状のリブ３１に沿った多角形状の多数の網目３２，３２Ａ，３２Ｂが開口形成されたものである（図２、図１１、図１３、図１５〜図１７参照）。
【００６４】
この構成によれば、メッシュ部３０の下部に形成されたジグザグ形状のリブ３１により、シーツ５０が動かないように確実に押圧保持することができる。  
また、上記ジグザグ形状のリブ３１に沿った網目３２，３２Ａ，３２Ｂを開口形成したので、ペット用トイレ１０の洗浄性が向上し、網目の角部の汚物を容易に洗い流すことができ、洗浄時の水の跳ね返りも抑制することができる。
【００６５】
因に、特許文献１で開示されたメッシュ部は格子状網目に形成されており、ペット用トイレの洗浄時に、上記格子状網目に強い水圧の水をかけて汚物を洗い流す場合、上記格子状網目の直角の角部の汚物を容易に洗い流すことが困難なうえ、網目が格子状であるため、洗浄時に水が跳ね返る問題点があったが、上記構成により斯る問題点を解消することができる。  
なお、上記実施例においては、ジグザグ形状のリブ３１がメッシュ部３０の全長にわたって連続した構造を例示したが、これは間欠的な構造であってもよい。  
【００６６】
また、この発明の一実施形態においては、上記網目３２は六角形状に形成されたものである（図１５の（ａ）参照）。  
この構成によれば、網目３２を六角形状に形成したので、その内角が１２０度となり、格子状の網目の内角（９０度）に対して大きくなるため、角部洗浄時の水の跳ね返りをより一層抑制することができる。
【００６７】
さらに、この発明の一実施形態においては、上記底トレー２０は、外周縁部に位置する周壁２１と、該周壁２１の内端間全域に位置する便床部２２とを有し、上記便床部２２（特に、その上面）はその全域にわたって平坦状に形成されたものである（図１２、図１４参照）。  
この構成によれば、上述の便床部２２がその全域にわたって平坦状に形成されており、特許文献１で開示された固定溝や突起が一切存在しないので、洗浄作業性の向上を図ることができる。
【００６８】
さらにまた、この発明の一実施形態においては、上記底トレー２０の外周縁部の少なくとも一辺（背面辺部参照）の外部には、ピン支持部２５を介してヒンジピン２６が一体形成され、該底トレー２０の外周縁部他辺（正面辺部参照）の外部には、係止部２４が一体形成されると共に、上記カバー部材４０の外周縁部一辺（外枠４１の背面辺部参照）には、上記ヒンジピン２６に回動可能に装着される装着部４２が設けられ、上記カバー部材４０の外周縁部他辺（外枠４１の正面辺部参照）には、上記係止部２４に着脱可能に係止されるフック部４３が設けられたものである（図１３参照）。  
この構成によれば、ヒンジピン２６と装着部４２とでペット用トイレ１０の一辺にヒンジ機構が形成されるので、上記フック部４３を上記係止部２４から外すと、カバー部材４０を片手操作にて開閉することができる。
【００６９】
加えて、この発明の一実施形態においては、上記メッシュ部３０は合成樹脂の射出成形にて構成されると共に、上記ジグザグ状のリブ３１に沿う網目３２は網目構成部３３を有しており、該網目構成部３３の下端部に上記リブ３１が設けられ、上記網目構成部３３の下端部と上記リブ３１の上端部との間に射出成形時のパーティングラインＰＬ１が形成されたものである（図１５の（ａ）、図１５の（ｂ）参照）。
【００７０】
この構成によれば、網目構成部３３の下端部と、リブ３１の上端部との間にパーティングラインＰＬ１を形成したので、メッシュ部３０の射出成形時にバリが形成されるのを抑制することができ、洗浄性の向上を図ることができる。因に、射出成形時にバリが形成されると、当該バリにより水洗いによる汚物の除去が煩雑となり、洗浄性が悪化するが、上記構成により、このような問題点を解消することができる。
【００７１】
上記実施例においては、ジグザグ状のリブ３１をメッシュ部３０の長手方向に沿って形成したが、このリブ３１はメッシュ部３０の短辺方向に沿って形成してもよい。また、上記リブ３１は合計４条形成したが、該リブ３１は１条または４条以外の複数条であってもよい。さらに、上記リブ３１をメッシュ部３０の長手方向と短辺方向との双方に形成してもよく、さらには上記リブ３１は連続構造または間欠構造の何れの構造を採用してもよい。
【００７２】
また、上記実施例においては、図１３で示したように底トレー２０に対してカバー部材４０を着脱可能かつ片開き構造に形成したが、特許文献１で開示した両開き構造を採用してもよい。
【００７３】
さらに、上記実施例においては、カバー部材４０において、外枠４１とメッシュ部３０とを一体形成して、部品点数および組付け工数の削減を図ったが、外枠４１とメッシュ部３０とを別部材にて形成し、これらを一体的に組付ける構造を採用してもよい。
【００７４】
さらには、図１８（ａ）に示すように、ジグザグ状リブ３１の先端（図１８（ａ）では上端）をジグザグ状の延長方向に沿ってノコギリ歯のように凹凸形状のノコギリ先端部３４を形成してもよい。
【００７５】
このように、リブ３１の下端にノコギリ先端部３４を形成したことにより、底トレー２０にシーツ５０を載置するとともにカバー部材４０を組付けたペット用トイレ１０では、上記底トレー２０に載置されたシーツ５０を押圧するが、ノコギリ先端部３４の凸部で局所的にシーツ５０を押圧する、つまりノコギリ先端部３４の凸部によってシーツ５０を押圧する押圧力がノコギリ先端部３４が形成されていない場合に比べて増大するため、底トレー２０に対してシーツ５０が動かないように確実に押圧保持することができる。  
なお、ノコギリ先端部３４は滑らかな凹凸形状で形成してもよいし、ジグザグ状の延長方向に沿って方向性のない凹凸形状を形成してもよい。
【００７６】
また、さらには、リブ３１の下端を、上述のリブ３１（図１８（ｂ）において破線で示す長さ）より下方に伸ばすとともに、押圧によって変形可能な変形先端部３５を設けてもよい。変形先端部３５は、リブ３１の下端を、ジグザグ状のリブ３１の延長方向及び断面幅方向において複数に分割するとともに、下端である先端に向かってわずかに先細り状となるように形成している。このように、ジグザグ状のリブ３１の延長方向及び断面幅方向において複数に分割するとともに、下端である先端に向かってわずかに先細り状となるように形成した変形先端部３５のそれぞれは、組付け状態において、上記底トレー２０に載置されたシーツ５０を押圧するが、その圧力によって図１８（ｃ）に示すように変形する。
【００７７】
このように押圧力によって変形し、シーツ５０に当接する変形先端部３５は、シーツ５０に対して当接する部分の圧力が増大するため、底トレー２０に対してシーツ５０が動かないように確実に押圧保持することができる。なお、変形先端部３５の形状は、リブ３１の底トレー２０を押圧保持する押圧力によって変形する形状であれば、上記形状に限定されない。
【産業上の利用可能性】
【００７８】
以上説明したように、本発明は、シーツを載置する底トレーと、上記底トレーに載置されたシーツを上方から覆う引っ掻き防止用のメッシュ部を有するカバー部材と、を備えたペット用トイレについて有用である。
【符号の説明】
【００７９】
１０…ペット用トイレ
２０…底トレー
２１…周壁
２２…便床部
２４…係止部
２５…ピン支持部
２６…ヒンジピン
３０…メッシュ部
３１…リブ
３２，３２Ａ，３２Ｂ…網目
３３…網目構成部
３４…ノコギリ先端部
３５…変形先端部
４０…カバー部材
４２…装着部
４３…フック部
５０…シーツ
ＰＬ１…パーティングライン
【図１】
2020058290.tif 000003
【図２】
2020058290.tif 000004
【図３】
2020058290.tif 000005
【図４】
2020058290.tif 000006
【図５】
2020058290.tif 000007
【図６】
2020058290.tif 000008
【図７】
2020058290.tif 000009
【図８】
2020058290.tif 000010
【図９】
2020058290.tif 000011
【図１０】
2020058290.tif 000012
【図１１】
2020058290.tif 000013
【図１２】
2020058290.tif 000014
【図１３】
2020058290.tif 000015
【図１４】
2020058290.tif 000016
【図１５】
2020058290.tif 000017
【図１６】
2020058290.tif 000018
【図１７】
2020058290.tif 000019
【図１８】
2020058290.tif 000020
【図１９】
2020058290.tif 000021